(57)【特許請求の範囲】
【請求項１】
廃棄物等をまとめてこれを覆うことのできる網や布である布状体によって構成された前記廃棄物等を投入するための投入口を設けてある覆いであって、該投入口は使用時に外側に位置する外布と使用時に内側に位置する内布によって二枚合わせの筒状に構成され、該二枚合わせの間から前記覆いの下に前記廃棄物等を投入できるようにした構成であることを特徴とする散乱防止用覆い。
【発明の詳細な説明】
【技術分野】
【０００１】
本発明はごみ集荷場等に於けるごみの散乱を防止する散乱防止用覆いに関するものである。
【背景技術】
【０００２】
近年、都市部ではカラスが生ごみの入ったゴミ袋を切り裂いて、中の残飯等を喰いあさり、袋の内容物を路上等に散乱させる被害が日常化している。強度のある大型ごみ収納箱を用いればこれらの被害は防げるが、ごみ集荷場を路上の一角に設定しなければならないという事情がこのごみ収納箱の設置を防げている。また、内部の見えない箱形ゴミ箱の設置は、内部の汚れを放置することにつながり、悪臭等非衛生的な結果を招きやすい欠陥を持っている。そこで、カラス等によるごみの散乱被害を食い止めるためにいくつもの発明がなされ、出願もされている。
【０００３】
【特許文献１】特願２００３−３３０８３６          特願２００３−３３０８３６に記載された発明は前記散乱防止用覆いの課題を解決するために開発されたものであり、一定の効果を上げるものであるが、実用上二つの課題を残している。その一つは、投入口の問題であり、前記特願２００３−３３０８３６に記載された発明には投入口について何ら配慮がないために、「網や布である布状体によって構成され」た該散乱防止用覆いにおいて、投入口がだらしなく開いたり、あるいは、これを避けるために投入口用の大きなカバーを設ける必要にせまられる。投入口からゴミ袋等の投入物を何気なく投入しても、該投入後に投入口が自然にしっかりとしまる構成の投入口が望まれる。
【０００４】
課題の二つ目として、前記覆いの下部開口部の構成であり、前記特願２００３−３３０８３６に記載された発明では「・・・、立体的に縫製された前記覆いの任意の場所における垂直方向の切断面において、下部開口部の幅が前記覆いの横幅最長部よりも短く、前記下部開口部が、平面的に見て外周部よりも内側に位置し、投入口から投入したゴミ袋等が前記覆いの裾上に載ることで鳥獣の侵入を防ぐと共に収集物の散乱防止効果を確実にすることを特徴とする散乱防止用覆い。」としているが、大量の集荷物が無理に投入されたような状態では、前記覆いを取り去る時に、前記収集物が前記覆いの開口部内側に掛着して離脱しがたい状況が生じる。どのような状況にあってもスムースに取り外すことのできる覆いが望まれる。
【０００５】
【特許文献２】実用新案登録番号第３０２９４６２号          実用新案登録番号第３０２９４６２号に記載された考案は「円状に広がる、防水繊維で加工されたネットの周辺部に、伸縮する適宜素材を取り付けたごみ収納散乱防止ネット」であり、前記「大量の集荷物が無理に投入されたような状態」でもある程度はスムーズに内容物を取り出すことが可能である。しかし、前記ネットの周辺部が伸縮する適宜素材によって常に締めつけられており、必要に覆いの開口部の締め付けを解除することは出来ないため、締めつけ力と取り出しやすさの関係を調節することが難しい。しかも、収集物の覆い内部への投入は該覆いの下部開口部より押し込むより他になく、取り扱いが極めて不便である。
【発明の開示】
【発明が解決しようとする課題】
【０００６】
投入口からゴミ袋等の投入物を何気なく投入しても、該投入後に投入口が自然にしっかりとしまる構成の投入口を有し、何気なく投入した生ごみ等の収集物が覆いによって確実の覆われ、且つ、集荷後には該覆いの取り外しがスムースに行える散乱防止用覆いを供すること。
【課題を解決するための手段】
【０００７】
廃棄物等をまとめてこれを覆うことのできる網や布である布状体によって構成された前記廃棄物等を投入するための投入口を設けてある覆いであって、該投入口が前記布状体を二枚合わせに重ね合わせてあり、該二枚合わせの間から前記覆いの下に前記廃棄物等を投入できるようにした構成であることを特徴とする散乱防止用覆いを供する。
【発明の効果】
【０００８】
廃棄物等をまとめてこれを覆うことのできる網や布である布状体によって構成された前記廃棄物等を投入するための投入口を設けてある覆いであって、該投入口は使用時に外側に位置する外布と使用時に内側に位置する内布によって二枚合わせの筒状に構成され、該二枚合わせの間から前記覆いの下に前記廃棄物等を投入できるようにした構成であることを特徴とする散乱防止用覆いであるため、次の効果を奏する。
【０００９】
投入口からゴミ袋等の投入物を何気なく投入しても、該投入後に投入口が自然にしっかりとしまる構成の投入口が実現でき、ゴミ袋等の集荷をスムースにすることが出来る。
【発明を実施するための最良の形態】
【００１０】
本願発明は特願２００３−３３０８３６の改良発明であって、目的は、投入口からゴミ袋等の投入物を何気なく投入しても、該投入後に投入口が自然にしっかりとしまる構成の投入口を有し、何気なく投入した生ごみ等の収集物が覆いによって確実の覆われ、集荷後には該覆いの取り外しがスムースに行える散乱防止用覆いを供することにあります。以下図に基づき具体的に述べます。
【実施例１】
【００１１】
図１は実施例１の一部断面を有する斜視図である。網や布である布状体１によって平面的に構成された、投入口２を有する覆いである。該投入口２は使用時に外側に位置する外布２１と使用時に内側に位置する内布２２によって二重合わせの筒状に構成される。収集物の投入と共に該布状体１は、投入口より投入され該布状体の下に位置して集積された収集物に形状を合わせて変形する。投入口が単なる前記布状体１の切れ目であった場合には、該投入口を確実に閉めた状態に保つために何らかの方策が必要となるが、前述のごとく外布２１と内布２２によって二重合わせの筒状とすることによって、前記布状体１の変形に伴って投入口が開いてしまうことが容易に防げる様になる。
【００１２】
図２は実施例１の使用の状態を示す断面図である。収集物３の投入時には外布２１を外側に押し開き内布２２との間に隙間を作って収集物を押し込むように投入する。布状体１の周縁部１１を内側に折り返しておくことにより、前記収集物３は該周縁部１１の上に載って該周縁部１１を床４に押さえつけることから、前記布状体１と床４との隙間を無くし収集物の散乱を確実に防止することが出来る。
【実施例２】
【００１３】
図３は実施例２の斜視図である。本願発明は前記廃棄物等を投入するための投入口２を設けてある覆いであって、該覆いの周縁部１１か立体的に構成された覆いの下部開口部６に絞り込み手段を設けて絞り込み、前記覆いの任意の場所における垂直方向の切断面において下部開口部の幅を前記覆いの横幅最長部よりも短くし、該下部開口部６の周縁部１１を平面的に見て外周部よりも内側に位置させ、前記廃棄物等の収集物３を該周縁部１１の上に載せることで該周縁部を１１を床に押さえつけて収集物の散乱を防止する構成であるが本図はその内の平面的構成の布状体１の周縁部１１に絞り込み手段を設けた例である。
【００１４】
具体的には平面的に構成された網や布である布状体１の角１２に穴１３を設けて該穴１３にロープ５のついたフック５１を掛け、布状体１の対角線を結ぶ向かい合う角Ａ１２１と角Ｂ１２２、及び、向かい合う角Ｃ１２３と角Ｄ１２４をロープ５で引き合うように結ぶことを、同作業によって形成される下部開口部６の絞り込み手段とした例である。前記布状体１の周縁部１１は該布状体１の下に巻き込まれることから投入口２から投入された収集物３は前記周縁部１１を床４に押さえつけてこの上に載り該周縁部１１を床に押さえつけることから、前記布状体１と床４との隙間を無くし収集物の散乱を確実に防止することが出来る。
【実施例３】
【００１５】
図４は実施例３の斜視図である。本実施例は実施例２の変形であり、前記布状体１の角１２及び周縁部１１を締着等により棒７に固定した例である。棒Ａ７１と棒Ｂ７２を寄せることで、下部開口部６の絞り込み手段とした例である。前記布状体１の周縁部１１は該布状体１の下に巻き込まれることから投入口２から投入された収集物３は前記周縁部１１を床４に押さえつけてこの上に載り、前記布状体１と床４との隙間を無くして収集物の散乱を確実に防止することが出来る。
【実施例４】
【００１６】
図５は実施例４の斜視図であり、立体的に構成された覆いの下部開口部６に絞り込み手段を設けた例である。布状体１の周縁部１１に輪１４を設け、該輪１４にロープＢ８を通して該ロープＢ８の両方の端部８１を一箇所に集め、これを固定具８２によって固定できるようにしたことを絞り込み手段とした例である。図に於ける該固定具８２は球等の立体構造物に締めつけ孔８３を開けたものであり、該穴８３にロープＢ８の端部８１の集めた二本を並べて挿入したものである。固定具８２を手に持ち、前記ロープＢ８の端部８１を手前に引くと、前記布状体１の周縁部１１に沿って位置する前記ロープＢ８によって作られた輪が絞り込まれ、前記布状体１の周縁部１１は前記布状体１の下に巻き込まれ、下部開口部６は絞りこまれる。投入口２から投入された収集物３は前記周縁部１１を床４に押さえつけてこの上に載り、該周縁部１１を床に押さえつけることから、前記布状体１と床４との隙間を無くし収集物の散乱を確実に防止することが出来る。
【００１７】
本願発明は廃棄物等をまとめてこれを覆うことのできる網や布である布状体によって構成された前記廃棄物等を投入するための投入口を設けてある覆いであって、該投入口が前記布状体を二枚合わせに重ね合わせてあり、該二枚合わせの間から前記覆いの下に前記廃棄物等を投入できるようにした構成であることを特徴とする散乱防止用覆いで有り、且つ、覆いの周縁部か立体的に構成された覆いの下部開口部に絞り込み手段を設けて絞り込み、投入口から投入した投入物を覆いの裾上に載るようにすることで鳥獣の侵入を防ぐと共に収集物の散乱防止効果を確実にすることを特徴とする構成の散乱防止用覆いを含むものである。
【図面の簡単な説明】
【００１８】
【図１】実施例１の一部断面を有する斜視図である。
【図２】実施例１の使用の状態を示す断面図である。
【図３】実施例２の斜視図である。
【図４】実施例３の斜視図である。
【図５】実施例４の斜視図である。
【符号の説明】
【００１９】
１  布状体
１１  周縁部
１２  布状体の角
１２１  角Ａ
１２２  角Ｂ
１２３  角Ｃ
１２４  角Ｄ
１３  穴
１４  輪
２  投入口
２１  外布
２２  内布
３  収集物
４  床
５  ロープ
５１  フック
６  下部開口部
７  棒
７１  棒Ａ
７２  棒Ｂ
８  ロープＢ
８１  ロープＢの端部
８２  固定具
８３  締めつけ孔
【要約】
【課題】
投入口からゴミ袋等を何気なく投入しても、投入口が自然にしっかりとしまる構成の投入口を有し、収集物が覆いによって確実の覆われる覆いであって、且つ、集荷後には該覆いの取り外しがスムースに行える散乱防止用覆いを供すること。
【解決手段】  廃棄物等をまとめてこれを覆うことのできる網や布である布状体によって構成された投入口が設けてある覆いであり、該投入口が前記布状体を二枚合わせに重ねてあり、該覆いの周縁部か立体的に構成された覆いの下部開口部に絞り込み手段を設けた覆いであって、該絞り込み手段によって下部開口部を絞り込むことで投入口から投入した投入物を覆いの周縁部に載るように構成した散乱防止用覆いを供する。
【選択図】  ５図
【図１】
0003670656.tif 000002
【図２】
0003670656.tif 000003
【図３】
0003670656.tif 000004
【図４】
0003670656.tif 000005
【図５】
0003670656.tif 000006